(57)【要約】      （修正有）【課題】液晶モニターを装飾することができ、取り付けが簡単であり、空間を取らない、一体化組み合わせ等の経済効果を高めることができるカレンダー固定構造を提供する。【解決手段】固定架体(1)と、カレンダー(2)とからなり、固定架体(1)は１つの板体(11)であり、板体(11)は中段に１つの上彎曲部(12)を具備することにより、屈曲し隣合う前垂直板(111)と後垂直板(112)とを形成し、後垂直板(112)は中段に彎曲する１つの下彎曲部(13)を具備し、下段に１つの横板(113)を有し、横板(113)は前段に屈曲部(14)を具備することにより、自由に彎曲させることができ、屈曲部(14)を彎曲させることにより、該固定架体(1)はｈ形フレーム形状を形成することができ、液晶モニター(LCD)(3)上に固定することができ、前垂直板(111)と後垂直板(112)とは上部両端付近の相対する所にそれぞれ貫通孔(15)を有し、貫通孔(15)に固定環(151)を設置することにより、カレンダー(2)を板体(11)上に固定することができる。【選択図】図１
0003121144.tif 000002
【実用新案登録請求の範囲】
【請求項１】
主に固定架体(1)と、カレンダー(2)とからなり、
主な特徴は該固定架体(1)は１つの板体(11)であり、
該板体(11)は中段に１つの上彎曲部(12)を具備することにより、屈曲し隣合う前垂直板(111)と後垂直板(112)とを形成し、
且つ、後垂直板(112)は中段に彎曲する１つの下彎曲部(13)を具備し、下段に１つの横板(113)を有し、
該横板(113)は前段に屈曲部(14)を具備することにより、自由に彎曲させることができ、
該屈曲部(14)を彎曲させることにより、該固定架体(1)はｈ形フレーム形状を形成することができ、液晶モニター(LCD)(3)上に固定することができ、
又、前垂直板(111)と後垂直板(112)とは上部両端付近の相対する所にそれぞれ貫通孔(15)を有し、
該貫通孔(15)に固定環(151)を設置することにより、カレンダー(2)を板体(11)上に固定することができることができることを特徴とするカレンダー固定構造。
【請求項２】
上記構造中、該固定架体(1)の前垂直板(111)に文字或いは図案を印刷することにより、広告宣伝を具備させることができることを特徴とする請求項１記載のカレンダー固定構造。
【考案の詳細な説明】
【技術分野】
【０００１】
本考案は一種のカレンダー固定構造の改良で、特に、一種の液晶モニター(LCD)(3)上端に一体化固定することができ、簡単、且つ、迅速に取り付けでき、広告宣伝及びカレンダーの機能を具備するカレンダー固定構造に関する。
【背景技術】
【０００２】
従来のカレンダーは主に壁に掛けたり、テーブル或いは机の上に置いたりして使用するが、壁に掛けるタイプのカレンダーは暦を見る、或いは写真/絵画/図案等を観賞する目的のみで使用され、
又、テーブル或いは机の上に置くカレンダーはテーブル或いは机の空間を取り、時に不便であり、消費者の購買意欲を損なう原因となっている。
【考案の開示】
【考案が解決しようとする課題】
【０００３】
本考案の主な目的は、液晶モニター(LCD)(3)を装飾することができ、
又、取り付けが簡単であり、空間を取らない、一体化組み合わせ等の経済効果を高めることができるカレンダー固定構造を提供することにある。
【課題を解決するための手段】
【０００４】
本発明のカレンダー固定構造は、
一種のカレンダー固定構造の改良で（図１、２）、主に固定架体(1)と、カレンダー(2)とからなり、
主な特徴は、該固定架体(1)は１つの板体(11)であり、
該板体(11)は中段に１つの上彎曲部(12)を具備することにより、屈曲し隣合う前垂直板(111)と後垂直板(112)とを形成し、
且つ、後垂直板(112)は中段に彎曲する１つの下彎曲部(13)を具備し、下段に１つの横板(113)を有し、
該横板(113)は前段に屈曲部(14)を具備することにより、自由に彎曲させることができ、
該屈曲部(14)を彎曲させることにより、該固定架体(1)はｈ形フレーム形状を形成することができ、液晶モニター(LCD)(3)上に固定することができ、
又、前垂直板(111)と後垂直板(112)とは上部両端付近の相対する所にそれぞれ貫通孔(15)を有し、
該貫通孔(15)に固定環(151)を設置することにより、カレンダー(2)を板体(11)上に固定することができ、
カレンダー(2)は年月日、各種風景、図案等を記載する紙体(21)を具備し、
且つ、該紙体(21)は上部両端側にそれぞれ１つの穴(22)を具備することにより、固定環(151)により固定架体(1)上に固定される。
【考案の効果】
【０００５】
本考案のカレンダー固定構造は、液晶モニター(LCD)(3)を装飾することができ、又、取り付けが簡単であり、空間を取らない、一体化組み合わせ等の経済効果を高めることができる。
【考案を実施するための最良の形態】
【０００６】
以下、本考案の実施例について、図面を参照しながら説明する。
【実施例】
【０００７】
本考案の構造の特徴及びその効果を以下に実施例とそれに合わせた図式及び詳細な説明を列挙し、本考案の長所を詳述する。
図１〜５が示す如く、使用時、固定環(151)を固定架体(1)の貫通孔(15)とカレンダー(2)の穴(22)とに貫通させ、当年度のカレンダー(2)を広告、文字、風景図案等が印刷された固定架体(1)の板体(11)上に設置する（図１）。
続いて、固定架体(1)を液晶モニター(LCD)(3)上端の適当な位置に当て、液晶モニター(LCD)(3)の厚さに合うよう、適当な位置の屈曲部(14)の所で、横板(113)を折り曲げる（図３）ことにより、固定架体(1)を液晶モニター(LCD)(3)上に固定することができる（図４、５）。
上記により、単調なモニターに美観を具備させることができ、
又、一方で、カレンダー(2)がテーブル或いは机上で使用していた空間を減らすことができ、
上記により、カレンダー(2)固定構造及び液晶モニター(LCD)(3)装飾機能を兼具するとともに、広告宣伝及び一体化機能を具備させることもでき、取り付けにおいては、便利性及び迅速性を高めることができ、商品の経済効果を高めることができ、使用者のニーズあった革新的なカレンダー固定構造を提供することができる。
【図面の簡単な説明】
【０００８】
【図１】本考案の立体外観図である。
【図２】本考案の立体パーツ外観図である。
【図３】本考案の側面展開作動図である。
【図４】本考案の側面固定作動図である。
【図５】本考案を液晶モニター(LCD)(3)に固定する実施例図である。
【符号の説明】
【０００９】
1        固定架体
11       板体
111      前垂直板
112      後垂直板
113      横板
12       上彎曲部
13       下彎曲部
14       屈曲部
15       貫通孔
151      固定環
2        カレンダー
21       紙体
22       穴
3        液晶モニター(LCD)
【図１】
0003121144.tif 000003
【図２】
0003121144.tif 000004
【図３】
0003121144.tif 000005
【図４】
0003121144.tif 000006
【図５】
0003121144.tif 000007